(57)【特許請求の範囲】
【請求項１】
軸心方向を上下方向として軸心を中心に回転可能な操作軸が器具ケースのケース天板に形成された貫通の操作軸挿通孔に挿通され、前記操作軸の上端側は前記ケース天板よりも上側に突出しており、該ケース天板には前記操作軸挿通孔の形成部がその周辺部よりも高い位置となるように高低差が形成され、前記ケース天板の上側には該ケース天板と間隔を介して該ケース天板を覆うケースカバー板が設けられ、該ケースカバー板には前記ケース天板の前記操作軸挿通孔に対応する位置に開口部が形成されて該開口部から前記操作軸の上端が上側に突出しており、前記操作軸の上端側には該操作軸の軸心を中心として該操作軸と共に回動可能な操作つまみが設けられ、該操作つまみは、前記ケースカバー板の前記開口部とその周辺部を該ケースカバー板と間隔を介して覆う摘みカバー面と、該摘みカバー面の周端部から前記ケースカバー板側に向けて下側に伸設された周壁部とを有して、該周壁部の下端は前記ケースカバー板の板面と間隔を介して配設されており、前記操作つまみには前記周壁部よりも内側の位置において前記摘みカバー面側から前記ケースカバー板側に向けて前記周壁部の下端よりも下側の位置まで伸設されて前記操作軸の外周側全周を間隔を介して囲繞するスカート部が形成され、該スカート部の下端側は前記ケースカバー板の前記開口部の内側に該開口部の縁部と間隔を介して挿入されて、前記ケース天板と間隔を介して該ケース天板の前記操作軸挿通孔の形成部よりも外側の位置に配設されており、前記周壁部の下端は前記スカート部の下端と前記ケースカバー板の前記開口部の縁部とを結ぶ線の該縁部側への延長線よりも下側の位置まで伸設されており、外部から前記開口部を通って前記ケースカバー板の内側に水が入った場合に該水が前記スカート部に添って前記操作軸挿通孔の形成部よりも外側の前記ケース天板上に落ち、該ケース天板上をその高低差に応じて流れることにより前記操作軸挿通孔に入ることなく前記器具ケースの外側に排出されるようにしたことを特徴とする操作装置。
【請求項２】
軸心方向を上下方向として軸心を中心に回転可能な操作軸が器具ケースのケース天板に形成された貫通の操作軸挿通孔に挿通され、前記操作軸の上端側は前記ケース天板よりも上側に突出しており、該ケース天板には前記操作軸挿通孔の形成部がその周辺部よりも高い位置となるように高低差が形成され、前記ケース天板の上側には該ケース天板と間隔を介して該ケース天板を覆うケースカバー板が設けられ、該ケースカバー板には前記ケース天板の前記操作軸挿通孔に対応する位置に開口部が形成されて該開口部から前記操作軸の上端が上側に突出しており、前記ケースカバー板には前記開口部から突出している操作軸の外周側を該操作軸と間隔を介して囲む態様の筒壁部が前記開口部の縁部から上側に立設形成されており、前記操作軸の上端側には該操作軸の軸心を中心として該操作軸と共に回動可能な操作つまみが設けられ、該操作つまみは、前記ケースカバー板の前記開口部とその周辺部を該ケースカバー板と間隔を介して覆う摘みカバー面と、該摘みカバー面の周端部から前記ケースカバー板側に向けて下側に伸設された周壁部とを有して、該周壁部の下端は前記筒壁部の外周側の位置において前記ケースカバー板の板面と間隔を介して配設されており、前記操作つまみには前記周壁部よりも内側の位置において前記摘みカバー面側から前記ケースカバー板側に向けて前記周壁部の下端よりも下側の位置まで伸設されて前記操作軸の外周側全周を間隔を介して囲繞するスカート部が形成され、該スカート部の下端側は前記ケースカバー板に形成された前記筒壁部の内側に該筒壁部と間隔を介して挿入されて、前記周壁部の下端は前記スカート部の下端と前記筒壁部の上端部とを結ぶ線の該筒壁部上端部側への延長線よりも下側の位置まで伸設されており、前記ケース天板と間隔を介して該ケース天板の前記操作軸挿通孔の形成部よりも外側の位置に配設されており、外部から前記周壁部と前記筒壁部との間を通って該筒壁部の内側に水が入った場合に該水が前記スカート部に添って前記操作軸挿通孔の形成部よりも外側の前記ケース天板上に落ち、該ケース天板上をその高低差に応じて流れることにより前記操作軸挿通孔に入ることなく前記器具ケースの外側に排出されるようにしたことを特徴とする操作装置。
【請求項３】
ケース天板の操作軸挿通孔の形成部の高低差を形成する段差形成面は外側に向かうにつれて下側に傾く斜面により形成されており、スカート部に添って前記ケース天板上に落ちる水が前記斜面の途中部または前記斜面の外周部に落ちるようにしたことを特徴とする請求項１または請求項２記載の操作装置。
【請求項４】
ケース天板の操作軸挿通孔の縁部と操作軸との間に、弾性部材により形成されたパッキンが介設されていることを特徴とする請求項１または請求項２または請求項３記載の操作装置。
【請求項５】
器具ケースは風呂釜の器具ケースと成しており、操作つまみは、前記器具ケース内に設けられているバーナ装置の点火と着火を選択的に操作する操作軸と、前記バーナ装置により加熱される湯の温度を調整する操作軸との両方または一方に取り付けられていることを特徴とする請求項１乃至請求項４のいずれか一つに記載の操作装置。
【発明の詳細な説明】
【技術分野】
【０００１】
本発明は、操作軸の回転に応じて、例えば、バーナ装置の点火、着火、温度調節等の対応する操作を行う操作装置に関するものである。
【背景技術】
【０００２】
図４には、燃焼装置の一例が模式的なシステム図により示されている（例えば特許文献１、参照）。この燃焼装置は、例えば浴室に配置されるバランス型風呂釜であり、給湯メインバーナ１０と、該給湯メインバーナ１０により加熱される給湯熱交換器７とを有しており、給湯熱交換器７は、給湯メインバーナ１０の上側に、該給湯メインバーナ１０と間隔を介して配設されている。給湯熱交換器７は水を通す管路を有し、給湯熱交換器７には、この管路に水を導入する給水導入通路１９と、給湯熱交換器７の管路を通って加熱された水を給湯先に導く給湯通路１１とが接続されている。
【０００３】
給湯通路１１の先端側には、給湯栓９が設けられており、この例では、給湯栓９がレバー９ａの回動に応じて開閉する切り替えレバー方式の栓で形成されている。この種の給湯栓９は、レバー９ａの切り替えによって、給湯通路１１を通った湯を、カラン側の出湯管３０側とシャワー側通路３１のいずれかから選択的に出湯させるものであり、同図では、出湯管３０側から出湯されるように選択した状態が示されている。
【０００４】
前記給水導入通路１９には、水量調節機構２１が接続されており、水量調節機構２１には、水ガバナー１５、ダイヤフラムケース１３、水量調節室２０が設けられている。ダイヤフラムケース１３には、ダイヤフラム１４が設けられており、このダイヤフラム１４によって、ダイヤフラムケース１３内が、一次室１３ａと二次室１３ｂとに区分けされている。水量調節室２０には温度調節子２３が設けられており、温度調節子２３は、操作軸（シャフト）７１を介し、操作つまみである温度調節つまみ２２に接続されている。温度調節つまみ２２は、操作軸７１の軸心を中心として該操作軸７１と共に回動（回転）可能と成しており、操作軸７１は、給湯熱交換器７に供給される水量を調整することにより、該給湯熱交換器７から出湯される湯の出湯温度（給湯メインバーナ１０により加熱される湯の温度）を調節する操作軸と成している。
【０００５】
また、水量調節機構２１には、水量調節機構２１に水を供給する給水通路８と、水量調節機構２１から水を導出するバイパス通路１６と、前記給水導入通路１９と、排水通路２４とが接続されている。給水通路８にはフィルタ２５が介設されており、排水通路２４には水抜き栓２６が設けられている。
【０００６】
前記給湯メインバーナ１０には、ガス通路３２が接続されており、該ガス通路３２は、水圧自動ガス弁３３と、器具栓３４とを介し、燃料ガスを燃焼装置に外部から導入するガス導入通路３５に接続されている。水圧自動ガス弁３３は、前記ダイヤフラム１４に連結して設けられており、通水時のみ開弁となる。また、ガス導入通路３５には、器具栓３４を介してガス通路３６，３７も接続されてお１り、器具栓３４は、器具栓つまみ（操作つまみ）４８と操作軸（シャフト）７０と、手動開閉通路である閉子５３を有して形成されている。
【０００７】
器具栓つまみ４８は、操作軸７０と共に上下方向に予め定められている設定移動量だけ移動可能と成し、また、操作軸７０の軸心を中心に操作軸７０と共に回動（回転）可能と成しており、操作軸７０は、バーナ装置（パイロットバーナ３８、給湯メインバーナ１０、風呂メインバーナ３９）の点火と着火を選択的に操作する操作軸として機能する。
【０００８】
つまり、例えば図６に示すように、器具栓つまみ（操作つまみ）４８が回転すると、操作軸７０に設けられているマイクロスイッチの器具栓スイッチ５２（図４、参照）が、器具栓つまみ（操作つまみ）４８の「止」、「口火」、「給湯・シャワー」、「追いだき」の各位置を検出し、器具栓つまみ４８が「口火」の位置（器具栓つまみ４８と操作軸７０が、前記設定移動量だけ下側に下がった位置において「口火」の位置まで回転した状態）においては、ガス導入通路３５から器具栓３４まで導入された燃料ガスが、ガス通路３６を通して口火用のパイロッバーナ３８に導入される。そして、この燃料ガスにイグナイタ電極４３（図４、参照）を用いて点火が行われ、パイロットバーナ３８への点火が行われる。
【０００９】
また、器具栓つまみ４８の回動位置が「給湯・シャワー」の位置において、給湯栓９が開いて水量調整機構２１に通水が行われると、ガス導入通路３５から導入される燃料ガスが、器具栓３４と、前記水圧自動ガス弁３３とを介し、ガス通路３２を通って給湯メインバーナ１０に供給され、パイロットバーナ３８の火炎から給湯メインバーナ１０への着火が行われて給湯メインバーナ１０の燃焼が行われる。この給湯メインバーナ１０の燃焼によって、前記給湯熱交換器７を通る水の加熱が行われる。
【００１０】
また、器具栓つまみ４８が「追いだき」の位置においては、ガス導入通路３５から器具栓３４まで導入された燃料ガスが、ガス通路３７を通して風呂メインバーナ（風呂の追い焚き用の追い焚きメインバーナ）３９に供給され、パイロットバーナ３８の火炎から風呂メインバーナ３９への着火が行われて風呂メインバーナ３９の燃焼が行われる。風呂メインバーナ３９の上部側には、風呂熱交換器（追い焚き熱交換器）４０が風呂メインバーナ３９と間隔を介して設けられており、風呂メインバーナ３９によって加熱される。
【００１１】
なお、図４の図中、符号４６は空焚き安全装置、符号４７は給湯過熱防止装置、符号４５は過熱防止装置、符号５８は排気口、符号４は炎検出用のフレームロッド電極、符号５１は水自弁スイッチ、符号５４はガスの電磁弁、符号４９は能力切り替えつまみをそれぞれ示している。
【００１２】
図５には、前記燃焼装置であるバランス型風呂釜の外観構成例が斜視図によって示されている。同図に示すように、この燃焼装置は、風呂釜の器具ケース１を有しており、この器具ケース１内に、図４に示したようなシステム構成を形成するための、給湯バーナ１０、追い焚きバーナ３９、給湯熱交換器７、追い焚き熱交換器４０、水量調節機構２１、器具栓３４等の構成要素が収容されている。器具ケース１の上側には、給湯栓９のレバー９ａ、出湯管３０、シャワー側通路３１、器具栓つまみ４８、温度調節つまみ２２が設けられており、通常、シャワー側通路３１に、シャワーホースとシャワーヘッドが取り付けられて用いられる。
【００１３】
図７（ａ）には、器具栓つまみ４８と温度調節つまみ２２の取り付け構成が、これらのつまみ４８，２２及びその周辺領域の断面図により示されている。同図に示すように、操作軸７０（７１）は、軸心方向を上下方向とし、軸心を中心に回転可能に形成されており、器具ケース１のケース天板２に形成された貫通の操作軸挿通孔２７に挿通されて、操作軸７０（７１）の上端側はケース天板２よりも上側に突出している。
【００１４】
操作軸挿通孔２７は、例えば図９（ａ）〜（ｅ）に、順に示すような工程によって、つまり、図９（ａ）の状態から、図９（ｂ）に示すような貫通な小さな孔が形成され（ピアス形成）、その孔の縁部が、図９（ｃ）、（ｄ）、（ｅ）に示すように、順に折り曲げられて（バーリングして）ヘミング加工されており、図７（ａ）に示すように、操作軸挿通孔２７の縁部と操作軸７０（７１）との間には、弾性部材であるゴムにより形成されたパッキン２８が介設されている。
【００１５】
図７（ａ）および図５に示すように、ケース天板２の上側には、該ケース天板２と間隔を介してケースカバー板３が設けられてケース天板２を覆っており、該ケースカバー板３にはケース天板２の操作軸挿通孔２７に対応する位置（操作軸挿通孔２７の上部側）に開口部２９が形成されている。操作軸７０（７１）の上端は、開口部２９から上側に突出しており、開口部２９から突出している操作軸７０（７１）の外周側を、該操作軸７０（７１）と間隔を介して囲む態様に形成された筒壁部１２が、ケースカバー板３の開口部２９の縁部から上側に立設形成されている。
【００１６】
操作軸７０の上端側には器具栓つまみ４８が設けられ、操作軸７１の上端側には温度調節つまみ２２が設けられている。これらの器具栓つまみ４８と温度調節つまみ２２は、摘みカバー面７２と周壁部７３と操作軸係止部７５を有しており、操作軸係止部７５が操作軸７０（７１）の上端側に係止することにより、器具栓つまみ４８および温度調節つまみ２２は、対応する操作軸７０（７１）に固定されている。摘みカバー面７２は、ケースカバー板３の開口部２９とその周辺部をケースカバー板３と間隔を介して覆う態様と成し、周壁部７３は摘みカバー面７２の周端部からケースカバー板３側に向けて下側に伸設されている。周壁部７３の下端は、前記筒壁部１２の上端よりも上側に設けられており、周壁部７３と筒壁部１２の上端との間には、隙間が形成されている。
【先行技術文献】
【特許文献】
【００１７】
【特許文献１】特許第４１８１６７４号公報
【発明の概要】
【発明が解決しようとする課題】
【００１８】
ところで、前記のような燃焼装置においては、器具栓つまみ４８と温度調節つまみ２２の取り付け部において、前記の如く、周壁部７３と筒壁部１２の上端との間に間隙が形成されているために、例えばシャワーヘッドから出湯される湯が図７（ｂ）の矢印Ａに示すように、操作軸７０（７１）に交わる方向から器具栓つまみ４８や温度調節つまみ２２の下端部にかかると、その水が、器具栓つまみ４８や温度調節つまみ２２の周壁部７３と筒壁部１２との間を通って筒壁部１２の内側に入り、ケース天板２上に、直接的に、または、矢印Ａ’に示すように、操作軸７０（７１）を伝って落ちることになる。
【００１９】
操作軸挿通孔２７の縁部と操作軸７０（７１）との間には、ゴムのパッキン２８が介設されてシールされているために、操作軸７０（７１）を伝って水が落ちても、パッキン２８と操作軸７０（７１）との間から水がケース天板２の下側に落ちることはないが、近年、器具ケース量産化に伴うケース天板２のヘミング加工速度向上化の要求に伴い、その加工精度が悪くなることがあり、ヘミング加工の加工精度が悪いと、図８に示すように、パッキン２８とケース天板２との間に隙間が生じ、水がその隙間を通って、矢印に示すようにケース天板２の下側に落ちることがあるといった問題が生じた。ケース天板２の下側の器具ケース１内には、前記の如く、図４に示したようなシステム構成を形成するための構成要素が収容されているため、水が入るとバーナ燃焼などの装置性能に不具合が生じる可能性があり、問題である。
【００２０】
また、燃焼装置においては、器具栓つまみ４８と温度調節つまみ２２の取り付け部において、周壁部７３と筒壁部１２の上端との間に隙間が形成されていることによって操作軸７０（７１）が横（水平方向）から見えてしまうために、見栄えも良好でないといった問題もあった。
【００２１】
なお、図７に示す態様よりも、周壁部７３を下側に伸設して筒壁部１２を上側に伸設することも考えられるが、器具栓つまみ４８の操作によるパイロットバーナ３８の点火時には、器具栓つまみ４８と操作軸７０を下側に押しながら回転させることから、周壁部７３を下側に伸設したり筒壁部１２を上側に伸設したりする際に、その伸設する長さを長くすると、器具栓つまみ４８と操作軸７０を下側に押す操作に支障が生じることになるため、好ましくない。
【００２２】
また、温度調節つまみ２２に関しては、押し回しの操作は行われないが、器具栓つまみ４８と温度調節つまみ２２の構成を同じ構成とした方が、コストも安くすむし、見栄えもよくなるため、器具栓つまみ４８と温度調節つまみ２２の構成を同じ構成とすることが好ましい。
【００２３】
さらに、たとえ筒壁部１２や周壁部７３の長さを長くしたとしても、シャワーの湯が勢いよくケースカバー板３にかかった場合などには、その水が筒壁部１２を乗り越えて、筒壁部１２と器具栓つまみ４８や温度調節つまみ２２の周壁部７３との間から筒壁部１２の内側に入ってしまうこともある。
【００２４】
本発明は、上記課題を解決するためになされたものであり、その目的は、例えばバランス風呂釜等の燃焼装置等、器具ケースの貫通孔に設けられている回転可能な操作軸と該操作軸の上端側に取り付けられた操作つまみを備えて、前記操作軸の回転に応じた操作が行われる操作装置において、操作軸の取り付け部から器具ケース内に水が入ることを防ぐことができる操作装置を提供することにある。
【課題を解決するための手段】
【００２５】
本発明は上記目的を達成するために、次の構成をもって課題を解決する手段としている。すなわち、第１の発明は、軸心方向を上下方向として軸心を中心に回転可能な操作軸が器具ケースのケース天板に形成された貫通の操作軸挿通孔に挿通され、前記操作軸の上端側は前記ケース天板よりも上側に突出しており、該ケース天板には前記操作軸挿通孔の形成部がその周辺部よりも高い位置となるように高低差が形成され、前記ケース天板の上側には該ケース天板と間隔を介して該ケース天板を覆うケースカバー板が設けられ、該ケースカバー板には前記ケース天板の前記操作軸挿通孔に対応する位置に開口部が形成されて該開口部から前記操作軸の上端が上側に突出しており、前記操作軸の上端側には該操作軸の軸心を中心として該操作軸と共に回動可能な操作つまみが設けられ、該操作つまみは、前記ケースカバー板の前記開口部とその周辺部を該ケースカバー板と間隔を介して覆う摘みカバー面と、該摘みカバー面の周端部から前記ケースカバー板側に向けて下側に伸設された周壁部とを有して、該周壁部の下端は前記ケースカバー板の板面と間隔を介して配設されており、前記操作つまみには前記周壁部よりも内側の位置において前記摘みカバー面側から前記ケースカバー板側に向けて前記周壁部の下端よりも下側の位置まで伸設されて前記操作軸の外周側全周を間隔を介して囲繞するスカート部が形成され、該スカート部の下端側は前記ケースカバー板の前記開口部の内側に該開口部の縁部と間隔を介して挿入されて、前記ケース天板と間隔を介して該ケース天板の前記操作軸挿通孔の形成部よりも外側の位置に配設されており、前記周壁部の下端は前記スカート部の下端と前記ケースカバー板の前記開口部の縁部とを結ぶ線の該縁部側への延長線よりも下側の位置まで伸設されており、外部から前記開口部を通って前記ケースカバー板の内側に水が入った場合に該水が前記スカート部に添って前記操作軸挿通孔の形成部よりも外側の前記ケース天板上に落ち、該ケース天板上をその高低差に応じて流れることにより前記操作軸挿通孔に入ることなく前記器具ケースの外側に排出されるようにした構成をもって課題を解決する手段としている。
【００２６】
また、第２の発明は、軸心方向を上下方向として軸心を中心に回転可能な操作軸が器具ケースのケース天板に形成された貫通の操作軸挿通孔に挿通され、前記操作軸の上端側は前記ケース天板よりも上側に突出しており、該ケース天板には前記操作軸挿通孔の形成部がその周辺部よりも高い位置となるように高低差が形成され、前記ケース天板の上側には該ケース天板と間隔を介して該ケース天板を覆うケースカバー板が設けられ、該ケースカバー板には前記ケース天板の前記操作軸挿通孔に対応する位置に開口部が形成されて該開口部から前記操作軸の上端が上側に突出しており、前記ケースカバー板には前記開口部から突出している操作軸の外周側を該操作軸と間隔を介して囲む態様の筒壁部が前記開口部の縁部から上側に立設形成されており、前記操作軸の上端側には該操作軸の軸心を中心として該操作軸と共に回動可能な操作つまみが設けられ、該操作つまみは、前記ケースカバー板の前記開口部とその周辺部を該ケースカバー板と間隔を介して覆う摘みカバー面と、該摘みカバー面の周端部から前記ケースカバー板側に向けて下側に伸設された周壁部とを有して、該周壁部の下端は前記筒壁部の外周側の位置において前記ケースカバー板の板面と間隔を介して配設されており、前記操作つまみには前記周壁部よりも内側の位置において前記摘みカバー面側から前記ケースカバー板側に向けて前記周壁部の下端よりも下側の位置まで伸設されて前記操作軸の外周側全周を間隔を介して囲繞するスカート部が形成され、該スカート部の下端側は前記ケースカバー板に形成された前記筒壁部の内側に該筒壁部と間隔を介して挿入されて、前記ケース天板と間隔を介して該ケース天板の前記操作軸挿通孔の形成部よりも外側の位置に配設されており、前記周壁部の下端は前記スカート部の下端と前記筒壁部の上端部とを結ぶ線の該筒壁部上端部側への延長線よりも下側の位置まで伸設されており、外部から前記周壁部と前記筒壁部との間を通って該筒壁部の内側に水が入った場合に該水が前記スカート部に添って前記操作軸挿通孔の形成部よりも外側の前記ケース天板上に落ち、該ケース天板上をその高低差に応じて流れることにより前記操作軸挿通孔に入ることなく前記器具ケースの外側に排出されるようにした構成をもって課題を解決する手段としている。
【００２７】
また、第３の発明は、前記第１または第２の発明の構成に加え、前記ケース天板の操作軸挿通孔の形成部の高低差を形成する段差形成面は外側に向かうにつれて下側に傾く斜面により形成されており、スカート部に添って前記ケース天板上に落ちる水が前記斜面の途中部または前記斜面の外周部に落ちるようにしたことを特徴とする。
【００２８】
さらに、第４の発明は、前記第１または第２または第３の発明の構成に加え、前記ケース天板の操作軸挿通孔の縁部と操作軸との間に、弾性部材により形成されたパッキンが介設されていることを特徴とする。
【００２９】
さらに、第５の発明は、前記第１乃至第４のいずれか一つの発明の構成に加え、前記器具ケースは風呂釜の器具ケースと成しており、操作つまみは、前記器具ケース内に設けられているバーナ装置の点火と着火を選択的に操作する操作軸と、前記バーナ装置により加熱されて出湯される出湯温度を調整する操作軸との両方または一方に取り付けられていることを特徴とする。
【発明の効果】
【００３０】
本発明において、器具ケースのケース天板に形成された貫通の操作軸挿通孔に挿通された操作軸の上端側に、該操作軸の軸心を中心として該操作軸と共に回動可能に設けられた操作つまみは、ケース天板の上側に間隔を介して配設されたケースカバー板の前記操作軸挿通孔に対応する位置にある開口部とその周辺部を前記ケースカバー板と間隔を介して覆う摘みカバー面と、該摘みカバー面の周端部から前記ケースカバー板側に向けて下側に伸設された周壁部とを有することに加え、以下の特徴的な構成を有している。
【００３１】
つまり、操作つまみには、周壁部よりも内側の位置において前記摘みカバー面側から前記ケースカバー板側に向けて前記周壁部の下端よりも下側の位置まで伸設されて、前記操作軸の外周側全周を間隔を介して囲繞するスカート部が形成されており、該スカート部の下端側は、前記ケースカバー板に形成された開口部の内側に該開口部の縁部と間隔を介して挿入され（ケースカバー板に筒壁部が立設形成されている構成においては、筒壁部の内側に間隔を介して挿入され）、前記ケース天板と間隔を介して該ケース天板の前記操作軸挿通孔の形成部よりも外側の位置に配設されている。また、前記周壁部の下端は前記スカート部の下端と前記開口部の縁部とを結ぶ線の縁部側への延長線（筒壁部が立設形成されている構成においてはその上端部と前記スカート部の下端とを結ぶ線の筒壁部上端部側への延長線）よりも下側の位置まで伸設されている。
【００３２】
そして、外部から開口部を通って（ケースカバー板に筒壁部が立設形成されている構成においては、筒壁部と操作つまみの周壁部との間を通って）ケースカバー板の内側に水が入った場合に、該水が前記スカート部に添って前記操作軸挿通孔の形成部よりも外側の前記ケース天板上に落ち、該ケース天板上をその高低差に応じて流れることにより前記操作軸挿通孔に入ることなく前記器具ケースの外側に排出されるようにしているので、たとえシャワー使用時等に、水が前記筒壁部の内側に入っても、その水がケース天板の下側に入ってしまうことを防ぐことができる。
【００３３】
したがって、本発明によれば、器具ケース内に水が入ることによって装置に不具合が生じるといったことを防ぐことができるし、たとえ操作つまみの周壁部の下端とケースカバー板の筒壁部の上端との間に隙間があったとしても、その隙間から操作軸が見えることはなく、スカート部が見えることになるので、操作軸が見えて見栄えを損ねるといったことも防ぐことができる。
【００３４】
また、ケース天板の操作軸挿通孔の形成部の高低差を形成する段差形成面を、外側に向かうにつれて下側に傾く斜面により形成し、スカート部に添って前記ケース天板上に落ちる水が前記斜面の途中部または斜面の外周部に落ちるようにすることによって、スカート部に添ってケース天板上に落ちる水を斜面に落とした場合には、斜面に添ってその斜面の外側に流して斜面の外側から器具ケースの外側に排出されるようにできるし、前記水を斜面の外側に落とした場合には、その外側から器具ケースの外側に排出されるようにすることができる。
【００３５】
さらに、ケース天板の操作軸挿通孔の縁部と操作軸との間に、弾性部材により形成されたパッキンを介設することにより、スカート部に添って前記ケース天板上に落ちる水が前記操作軸挿通孔からケース天板の下側に流れることを、より一層確実に防ぐことができる。
【００３６】
さらに、器具ケースを風呂釜の器具ケースとして、操作つまみを、前記器具ケース内に設けられているバーナ装置の点火と着火を選択的に操作する操作軸と、前記バーナ装置により加熱されて出湯される出湯温度を調整する操作軸との両方または一方に取り付けることによって、操作軸に操作つまみを設けて形成される操作装置によって、前記優れた効果を奏して適宜操作が行われる風呂釜を形成することができる。
【図面の簡単な説明】
【００３７】
【図１】本発明に係る操作装置の一実施例の要部構成（ａ）と、筒壁部内に水が入った場合の水の流れ（ｂ）を示す断面説明図である。
【図２】本発明に係る操作装置の他の実施例におけるケース天板の操作軸挿通孔形成領域を示す断面説明図である。
【図３】本発明に係る操作装置のさらに他の実施例におけるケース天板の操作軸挿通孔形成領域を示す断面説明図である。
【図４】バランス型風呂釜のシステム構成例を示す図である。
【図５】バランス型風呂釜の一例を示す斜視図である。
【図６】バランス型風呂釜の器具栓つまみの構成例を示す平面説明図である。
【図７】従来のバランス型風呂釜における、器具栓つまみと温度調節つまみの周辺構成を示す断面説明図である。
【図８】従来のバランス型風呂釜において、器具栓つまみと温度調節つまみの取り付け部からケースカバー板の内側に水が入ったときに生じる問題点を説明するための模式的な断面説明図である。
【図９】器具ケースのケース天板に形成する操作軸挿通孔の形成工程例を示す断面説明図である。
【発明を実施するための形態】
【００３８】
以下、本発明の実施の形態を図面に基づき説明する。なお、本実施例の説明において、これまでの説明と同一名称部分には同一符号を付し、その重複説明は省略または簡略化する。
【実施例】
【００３９】
本実施例の操作装置は、従来例とほぼ同様に構成されたバランス型風呂釜であり、本実施例が従来例と異なる特徴的なことは、器具栓つまみ４８と温度調節つまみ２２の構成を図１に示すような特徴的な構成としたことである。つまり、本実施例では、器具栓つまみ４８と温度調節つまみ２２は、摘みカバー面７２と周壁部７３と操作軸係止部７５を有していることに加え、該周壁部７３よりも内側の位置において、摘みカバー面７２側からケースカバー板３側に向けて周壁部７３の下端よりも下側の位置まで伸設されたスカート部１７を有しており、スカート部１７は操作軸７０（７１）の外周側全周を間隔を介して囲繞する態様を成している。また、周壁部７３の下端は、スカート部１７の下端（点Ｂ）とケースカバー板３の筒壁部１２の上端（点Ａ）とを結ぶ線の筒壁部１２側への延長線（鎖線Ｄ）よりも下側の位置まで伸設されており（周壁部７３には、Ｃ部が形成されており）、ケースカバー板３の内側に、スカート部１７に当たらない斜め上方側の角度から斜めに水が入ってくることがない構成になっている。
【００４０】
なお、ケース天板２には、操作軸挿通孔２７の形成部がその周辺部よりも高い位置となるように高低差が形成されており、この高低差を形成する段差形成面は、外側に向かうにつれて下側に傾く斜面６により形成されている。前記スカート部１７の下端側は、前記ケースカバー板３に形成された筒壁部１２の内側に、該筒壁部１２と間隔を介して挿入され、ケース天板２と間隔を介し、該ケース天板２の操作軸挿通孔２７の形成部よりも外側の位置、つまり、斜面６の途中部の上側に配設されている。このようにすることで、本実施例では、外部から周壁部７３と筒壁部１２との間を通って該筒壁部１２の内側に水が入った場合に、図１（ｂ）の矢印Ａ’に示すように、この水がスカート部１７に添って操作軸挿通孔２７の形成部よりも外側のケース天板２上（斜面６の途中部）に落ち、該ケース天板２上を、その高低差に応じて流れることにより、操作軸挿通孔２７に入ることなく器具ケース１の外側に排出されるようにしている。
【００４１】
なお、本発明は、前記実施例に限定されるものでなく、適宜設定されるものである。例えば、前記実施例では、器具栓つまみ４８と温度調節つまみ２２のスカート部１７の下端側は、ケース天板２と間隔を介し、斜面６の途中部の上側に配設されていたが、図２（ａ）に示すように、スカート部１７の下端側が斜面６の外周部の上側に配設されて、スカート部１７に添って、図の矢印Ａ’に示すように、ケース天板２上に落ちる水が、斜面６の外周部に落ちるようにしてもよい。また、図２（ｂ）に示すように、ケース天板２に、斜面を形成せずに、操作軸挿通孔２７の形成部がその周辺部よりも高い位置となるように高低差を形成し、スカート部１７に添って落ちる水が、図の矢印Ａ’に示すようにして、操作軸挿通孔２７の形成部よりも外側の位置に落ちることにより、水が操作軸挿通孔２７に入らずに外部に排出されるようにしてもよい。
【００４２】
また、前記実施例では、スカート部１７は、上下方向に真っ直ぐ伸びる筒状のスカート部としたが、スカート部１７は、例えば図２（ａ）の破線Ｂに示すように、上端側の径が下端側の径よりも大きく上下方向に曲面が形成された形状の筒状形状に形成してもよいし、その逆に、上端側の径が下端側の径よりも小さく上下方向に曲面が形成された形状の筒状形状に形成してもよい。これらの場合でも、スカート部１７の周壁部７３の下端よりも下側の位置まで伸設された部位が操作軸７０（７１）の外周側全周を間隔を介して囲繞しており、かつ、スカート部１７の下端が操作軸挿通孔２７の形成部よりも外側の位置に配設されていることにより、前記実施例と同様の効果を奏することができる。
【００４３】
さらに、前記実施例では、ケースカバー板３の開口部２９の縁部から上側に筒壁部１２を立設形成したが、図３（ａ）に示すように、筒壁部１２をケースカバー板３の開口部２９の縁部から下側に形成してもよいし、図３（ｂ）に示すように、筒壁部を省略した形状としてもよい。これらの場合も、点Ｂで示すスカート部１７の下端と点Ａで示すケースカバー板３の開口部２９の縁部（図３（ａ）に示すような態様の場合は、点Ａのように、開口部２９の入口の縁部）とを結ぶ線の縁部（点Ａ）側への延長線（鎖線Ｄ）よりも、周壁部７３の下端を下側の位置まで伸設して周壁部７３にＣ部を形成することにより、スカート部１７に当たらない斜め上方側の角度から斜めに水が入ってくることを防げ、外部から開口部２９を通ってケースカバー板３の内側に水が入った場合に、該水がスカート部１７に添って操作軸挿通孔２７の形成部よりも外側のケース天板２上に落ち、該ケース天板２上をその高低差に応じて流れることにより、操作軸挿通孔２７に入ることなく器具ケース１の外側に排出されるようにできる。
【００４４】
ただし、前記実施例のように、筒壁部１２をケースカバー板３の開口部２９の縁部から上側に立設形成すると、図１（ｂ）の矢印Ｅ方向から、ケースカバー板３に水がかかった場合に、図３（ａ）、（ｂ）に示す例に比べて、多量の水がケースカバー板３の内側に入りにくくできるメリットがある。
【００４５】
さらに、前記実施例では、器具栓つまみ４８と温度調節つまみ２２の構成を同様にしたが、これらのうち、一方に、前記実施例の構成や、図２、図３に示したような構成を適用してもよい。
【００４６】
さらに、前記実施例は、バランス型風呂釜としたが、本発明の操作装置は、バランス型風呂釜以外の燃焼装置としてもよいし、燃焼装置以外の装置としてもよく、操作軸の回転に応じ、その操作軸の回転に対応する操作が行われる様々な装置に適用できるものである。そして、本発明を適用することによって、器具ケース内に水が入ることを防ぐことができ、信頼性の高い操作装置を形成することができる。
【産業上の利用可能性】
【００４７】
本発明の操作装置は、操作軸の回転に応じ、その操作軸の回転に対応する操作が行われる構成において、操作軸が設けられている器具ケース内に水が入ることを防ぐことができるので、例えば家庭用のバランス風呂釜等の燃焼装置等に利用できる。
【符号の説明】
【００４８】
１          器具ケース
２          ケース天板
３          ケースカバー板
６          斜面
７          給湯熱交換器
９          給湯栓
１０        給湯メインバーナ
１２        筒壁部
１７        スカート部
２２        温度調節つまみ
２７        操作軸挿通孔
２８        パッキン
３４        器具栓
３８        パイロットバーナ
３９        追い焚きメインバーナ
４０        追い焚き熱交換器
４８        器具栓つまみ
７０，７１  操作軸
７２        摘みカバー面
７３        周壁部
【図１】
0005635918.tif 000002
【図２】
0005635918.tif 000003
【図３】
0005635918.tif 000004
【図４】
0005635918.tif 000005
【図５】
0005635918.tif 000006
【図６】
0005635918.tif 000007
【図７】
0005635918.tif 000008
【図８】
0005635918.tif 000009
【図９】
0005635918.tif 000010